(57)【要約】空気流発生装置は、ハウジングと、このハウジングの内部に設けられ下方へ流れる空気流を発生させるインペラと、ハウジングの内部のインペラの下方に、このインペラに近接して、このインペラとの間に所定の距離を持って設けられ、空気流を直線状の流れにする複数のベーンとを備えている。この装置は、かなりの距離に亘って実質的に柱状流の状態を維持する空気流を発生させる。空気流発生方法は、かなりの距離に亘って実質的に柱状流の状態を保持する空気流を発生させ、その空気流を天井から床へ向けて吹出すことによって、囲繞された空間内の空気の温度成層を破壊する。この方法においては更に、天井の暖気を床へ向けて吹出させて、その熱が、床と、床上に置かれた物品とに蓄積されるようにし、その熱が、床に蓄積されるようにする。蓄積された熱は、天井温度が床温度より低くなったときに放出される。【選択図】図４
2007529681.tif 000002
【特許請求の範囲】
【請求項１】
空気流発生装置において、
ハウジングを備え、該ハウジングはその第１端部に空気吸込口を有し、前記第１端部から離れたその第２端部に空気吹出口を有しており、前記第１端部と前記第２端部との間に空気流路が形成されており、
回転ファンを備え、該回転ファンは前記ハウジングの内部の前記空気吸込口の近傍に取付けられており、該回転ファンはインペラを有しており、該インペラは、回転方向流れ成分と軸方向流れ成分とを有する空気流を発生させる複数の羽根を備えており、
複数の空気案内用のベーンを備え、該複数のベーンは、互いに間隔をあけて配置され、前記ハウジングの内部の前記インペラと前記空気吹出口との間を軸方向に延在しており、前記空気流の前記回転方向流れ成分を前記ハウジング内において層流で軸流の空気流に変換するものであり、該複数のベーンは、前記インペラとの間に所定寸法の間隙が確保されて前記インペラから離隔しており、前記間隙の寸法は、擾乱を発生させることがなく且つ前記空気流の静背圧を低く抑えることのできる所定の最大寸法以下に選定されており、
以上によって、前記空気流が軸流として前記空気吹出口から吹出され、且つ、その軸流が、前記空気吹出口を通過した後も、横方向の流れの拡散が非常に小さい柱状パターンのままであるようにした、
ことを特徴とする空気流発生装置。
【請求項２】
前記間隙の寸法は、騒音を発生させることのない所定の最小寸法以上の大きさに選定されていることを特徴とする請求項１記載の空気流発生装置。
【請求項３】
前記インペラは直径を有し、前記間隙の寸法は、前記インペラの前記直径の２分の１未満であることを特徴とする請求項１記載の空気流発生装置。
【請求項４】
前記空気流路は、その流路断面積が前記空気吸込口から前記空気吹出口へかけて減少しており、これによって空気流の流速を増大させるようにしてあることを特徴とする請求項１記載の空気流発生装置。
【請求項５】
前記空気流路の流路断面積の減少量は、約１０％〜３５％であることを特徴とする請求項４記載の空気流発生装置。
【請求項６】
前記複数の羽根の各々は前記インペラの回転軸心に対して所定角度で傾斜しており、前記複数のベーンの各々は前記第２端部へ向かって軸方向及び径方向外方に延伸しており、これらによって前記ハウジングの内部において前記空気流が発生されるようにしてあり、前記複数のベーンの各々は彎曲ベーン部分を含んでおり、該彎曲ベーン部分は、前記羽根の傾斜とは逆方向に所定の角度で傾斜して、前記第２端部へ向かって軸方向及び径方向内方に延伸しており、これによって前記空気流の前記回転方向流れ成分を層流で軸流の空気流に変換することを補助するようにしてあることを特徴とする請求項１記載の空気流発生装置。
【請求項７】
前記ベーンが直線的な形状のベーンであることを特徴とする請求項１記載の空気流発生装置。
【請求項８】
ステータを備え、該ステータは前記ハウジングの内部に、前記ハウジングに対して着脱可能に嵌装されており、
前記複数のベーンは、前記ステータに設けられた上流側部材と、前記ハウジングの内部の前記ステータの下流側に取付けられた下流側部材とで構成されており、前記下流側部材と前記上流側部分とが協働して前記ハウジングを通過する前記空気流を案内するようにしてある、
ことを特徴とする請求項１記載の空気流発生装置。
【請求項９】
カウリングを備え、該カウリングは前記第１端部に設けられ、滑らかな丸みを帯びた外端面を有しており、該外端面が前記空気吸込口において空気流を曲面に沿って案内して前記ハウジングの内部へ流入させることによって擾乱及び騒音を低減するようにしてあることを特徴とする請求項１記載の空気流発生装置。
【請求項１０】
前記ハウジングが、擾乱及び騒音を低減するように実質的に滑らかで連続した表面とした内周面を有しており、前記ハウジングの内部に設けられた内部ハウジングハブが、下流側ハウジングハブ部材を有しており、該下流側ハウジングハブ部材は、前記複数のベーンの内周側に前記複数のベーンから離隔して配置されており、前記複数のベーンに沿って流れる前記空気流の擾乱を低減するものであり、前記ハウジングハブは、前記第２端部へ向かって収束する魚雷形を呈しており、擾乱を回避するように空気流を案内するものであることを特徴とする請求項１記載の空気流発生装置。
【請求項１１】
前記ハウジングに枢動可能に連結したハンガー部材を備え、該ハンガー部材は前記ハウジングを支持部から吊下するようにして取付けるものであり、前記ハンガー部材は、選択した角度へ前記ハウジングを向けることを可能とし、前記ハンガー部材はその選択した角度にロックすることが可能であり、これによってその選択した角度に空気流の吹出し方向を定めることができるようにしてあることを特徴とする請求項１記載の空気流発生装置。
【請求項１２】
天井に凹部を画成するように設けられた照明灯収容容器に前記ハウジングを取付けて前記照明灯収容容器によって前記ハウジングを支持させるようにする取付手段を備え、該取付手段は電気コネクタ機構を含んでおり、該電気コネクタ機構は、前記照明灯収容容器の背面に装備された電球用ソケットに螺合する電球用ねじ込み式口金と、前記第１端部に設けられた取付板と、該取付板の上面に設けられた管体とを有しており、前記取付手段は更に、前記管体の中に設けられた圧縮スプリングと、前記管体の中に嵌合されて該管体の中で軸方向に摺動可能なシャフトと、前記管体と前記シャフトとに設けられた互いに協働して前記管体と前記シャフトとの間の相対回転を防止するするキー及びキー溝とを含んでおり、前記電球用ねじ込み式口金は前記シャフトの前記圧縮スプリングとは反対側の端部に取付けられており、前記圧縮スプリングは前記電球用ねじ込み式口金を前記電球用ソケットへ付勢するものであることを特徴とする請求項１記載の空気流発生装置。
【請求項１３】
電気コネクタ機構を備え、該電気コネクタ機構は、電球用ソケットに螺合する電球用ねじ込み式口金を有しており、該電球用ねじ込み式口金は前記ハウジングの頂部に取付けられており、
吸込口グリルを備え、該吸込口グリルは、前記空気吸込口に空気を流入させることができるように前記ハウジングに装備されており、
電球用ソケットを備え、該電球用ソケットは、前記ハウジングが取付けられた部屋を照明することができるように前記ハウジングの内部に取付けられている、
ことを特徴とする請求項１記載の空気流発生装置。
【請求項１４】
グリル／支持体アセンブリを備え、該グリル／支持体アセンブリは天井に取付けられ、前記ハウジングと前記アセンブリとは、径方向内方を延展する凸球面形状の表面である第１当接面と、該第１当接面に対して摩擦摺動が可能に嵌合する凹球面形状の表面である第２当接面とを有しており、それら第１当接面と第２当接面との嵌合によって、前記ハウジングが前記天井に支持されて、前記ハウジングを鉛直姿勢にも、また、鉛直から任意の選択角度で傾斜した姿勢にもすることができ、且つ、摩擦によって任意の選択姿勢に保持することができるようにしてあることを特徴とする請求項１記載の空気流発生装置。
【請求項１５】
グリルを備え、該グリルは、凹面状に彎曲しており、また、互いの間に間隔をあけて配置された複数のグリルフィンと、複数の空気流通開口とを有しており、該複数の空気流通開口は、前記天井に固定される外側リング部と、前記複数のグリルフィンに連結して前記第１当接面を提供している内側リング部との間に画成されており、該複数の空気流通開口によって、空気が前記グリルを通過して前記ハウジングの表面に沿って上方へ流動し、前記空気吸込口へ流入できるようにしていることを特徴とする請求項１４記載の空気流発生装置。
【請求項１６】
収容容器を備え、該収容容器は底部フランジを有し、その底部が開口しており、前記ハウジングを囲むように延在しており、前記天井に結合され、前記ハウジングの上部を囲繞するものであり、該収容容器の頂部に形成された凹溝部に、前記空気吸込口へ流入しようとする空気が渦運動をするのを防止するための少なくとも１枚のフィンが設けられていることを特徴とする請求項１５記載の空気流発生装置。
【請求項１７】
クランプ部材を備え、該クランプ部材は本体部と該本体部の一端に設けられたフランジ部とを有しており、該フランジ部は前記収容容器の前記開口した底部に形成された開口の中に配設されており、止着具が該収容容器の底部フランジ部を貫通しており、前記天井と前記本体部とが連結されることによって前記収容容器が前記天井に固定されるようにしてあることを特徴とする請求項１５記載の空気流発生装置。
【請求項１８】
前記収容容器の周方向に間隔をおいた複数の箇所に複数の前記クランプが設けられていることを特徴とする請求項１７記載の空気流発生装置。
【請求項１９】
給水管路を備え、該給水管路は前記ハウジングに設けられ、その一端にノズルを有し、前記第２端部から吹出される空気に霧を吹き込むことによって空気温度を低下させるものであることを特徴とする請求項１記載の空気流発生装置。
【請求項２０】
前記羽根の枚数を前記ベーンの枚数と異ならせて騒音を低減したことを特徴とする請求項１記載の空気流発生装置。
【請求項２１】
前記羽根の枚数が３枚であり前記ベーンの枚数が４枚であることを特徴とする請求項１記載の空気流発生装置。
【請求項２２】
空気流発生装置において、
ハウジングを備え、該ハウジングは、第１セクションと、前記第１セクションの下流側にあって前記第１セクションより小径の第２セクションと、前記第１セクションから前記第２セクションへ向かって径方向内方へ延展している内部の段部とを有し、
ステータを備え、該ステータは、前記第１セクションに嵌合され、前記段部に担持されており、
回転ファンを備え、該回転ファンは、前記ハウジングの内部の前記ハウジングハブより上流側の前記空気吸込口の近傍に取付けられており、該回転ファンは、インペラを有しており、該インペラは、外周面を有するインペラハブと、該インペラハブから径方向に延出した複数の羽根とを含んでおり、前記内周面と前記外周面とで前記ハウジング内部の前記第１端部と前記第２端部との間に空気流路が画成されており、前記複数の羽根は、回転方向流れ成分と軸方向流れ成分とを有する前記空気流路を流れる空気流を発生させるものであり、更に、前記ハウジングの内部の前記ステータより上流側に嵌合されており、且つ、インペラを有しており、該インペラは、回転方向流れ成分と軸方向流れ成分とを有する空気流を発生させる複数の羽根を備えており、
カウリングを備え、該カウリングは、前記ハウジング上の前記ファンより上流側に取付けられ、曲面に沿って径方向内方へ前記ハウジングの内部へ延展して擾乱を低減するようにしており、
複数の空気案内用のベーンを備え、該複数のベーンは、互いに間隔をあけて配置され、前記ハウジングの内部の前記インペラと前記空気吹出口との間を軸方向に延在しており、前記空気流の前記回転方向流れ成分を前記ハウジング内において層流で軸流の空気流に変換するものであり、該複数のベーンは、前記ステータに設けられた上流側部材と前記ハウジングの内部に取付けられた下流側部材とで構成されており、該複数のベーンは、前記インペラとの間に所定寸法の間隙が確保されて前記インペラから離隔しており、前記間隙の寸法は、擾乱を発生させることがなく且つ前記空気流の静背圧を低く抑えることのできる所定の最大寸法以下に選定されており、
以上によって、前記空気流が軸流として前記空気吹出口から吹出され、且つ、その軸流が、前記空気吹出口を通過した後も、横方向の流れの拡散が非常に小さい柱状パターンのままであるようにした、
ことを特徴とする空気流発生装置。
【請求項２３】
空気流発生システムにおいて、
上側空気流発生装置を備え、該上側空気流発生装置は、その第１端部に空気吸込口を有し、前記第１端部とは反対側のその第２端部に空気吹出口を有しており、該上側空気流発生装置は、軸流として前記空気吹出口から吹出され、且つ、前記空気吹出口を通過した後のかなり先までも、横方向の流れの拡散が非常に小さい柱状パターンのままの空気流を発生するものであり、
下側空気流発生装置を備え、該下側空気流発生装置は、その第１端部に空気吸込口を有し、前記第１端部とは反対側のその第２端部に空気吹出口を有しており、該下側空気流発生装置は、軸流として前記空気吹出口から吹出され、且つ、前記空気吹出口を通過した後のかなり先までも、横方向の流れの拡散が非常に小さい柱状パターンのままの空気流を発生するものであり、
管体を備え、該管体は、前記上側空気流発生装置の前記空気吹出口と前記下側空気流発生装置の前記空気吸込口との間に設けられ、前記上側空気流発生装置から前記下側空気流発生装置へ空気流を搬送するためのものであり、前記下側空気流発生装置は該管体を介して前記上側空気流発生装置に接続されている、
ことを特徴とする空気流発生システム。
【請求項２４】
前記管体が可撓性及び耐火性を有することを特徴とする請求項２３記載の空気流発生システム。
【請求項２５】
前記上側空気流発生装置が前記下側空気流発生装置よりも大きな流量容量を有することを特徴とする請求項２３記載の空気流発生システム。
【請求項２６】
前記上側空気流発生装置の流量容量が約800 cfm（約22 m3 / min）であり、前記下側空気流発生装置の流量容量が550 cfm（約15 m3 / min）であることを特徴とする請求項２３記載の空気流発生システム。
【請求項２７】
空気流発生方法において、
細長い形状のハウジングの内部を通過して、第１端部の空気吸込口から、該第１端部から離れた第２端部の空気吹出口へ流れる空気流を発生させるステップと、
前記ハウジングの内部を通過して流れる前記空気流を案内して、層流の軸流として前記空気吹出口から吹出させることにより、前記空気吹出口を通過した後も、横方向の流れの拡散が非常に小さい柱状パターンのままの軸流を発生させるステップと、
を含むことを特徴とする空気流発生方法。
【請求項２８】
前記空気流を水平方向及び水平方向から選択角度をもって傾斜した方向へ向けて吹出させ、空間を貫通させて流動させることにより、前記空間の中で空気流を循環させることを特徴とする請求項２７記載の方法。
【請求項２９】
前記空気流を鉛直方向及び鉛直方向から選択角度をもって傾斜した方向へ向けて吹出させ、空間を貫通させて流動させることにより、前記空間の空気成層を破壊し且つ空気流を循環させることを特徴とする請求項２７記載の方法。
【請求項３０】
側壁と、天井と、床とを有する部屋の暖房必要量を低減する方法において、
ダクトレス型の空気流発生装置を用意するステップを含み、該空気流発生装置は、該空気流発生装置を通過した後も、横方向の流れの拡散が非常に小さい柱状パターンのままの軸流を、空気流として発生させる装置であり、
前記空気流発生装置を天井に取付けるステップを含み、
前記空気流発生装置に前記天井の近傍の暖気を前記床へ向けて吹出させるステップを含み、それによって前記暖気の熱が前記床に伝達されて前記床に蓄積されるようにし、
前記側壁の内面に沿って流動して、前記天井へ戻るようにし、更に、前記空気流発生装置へ戻るようにすることで、前記部屋の中で循環させるステップを含む、
ことを特徴とする方法。
【請求項３１】
前記天井の温度が前記床の温度より低下したときに、前記床に蓄積された前記熱が放出されることにより前記部屋の中が暖房されるようにすることを特徴とする請求項３０記載の方法。
【請求項３２】
前記部屋がテントであり、該テントは、頂部と、下方へ延展する側壁部とを有し、前記側壁部と床との間に開口部が画成されており、前記空気流発生装置が前記頂部の直下に取付けられていることを特徴とする請求項３０記載の方法。
【発明の詳細な説明】
【発明の詳細な説明】
【０００１】
本件特許出願は、米国特許法第119条第e項に規定された優先権を主張する特許出願であり、その優先権の基礎を成す特許出願は米国仮特許出願第60/553,720号（出願日：2004年3月15日）である。
【技術分野】
【０００２】
本発明は、空間の暖房、換気、及び空調に関するものであり、より詳しくは、空間を貫通して流動する空気流を発生させ、また、空気温度成層を破壊するのに特に適した、横方向の流れの拡散が非常に小さい柱状パターンの空気流を発生させるための、システム、装置、及び方法に関するものである。
【背景技術】
【０００３】
広く一般的に使用されている暖房・換気・空調システムを備えた建物では、暖気が上昇して冷気が下降することによって、天井と床との間に大きな温度差が発生する。このような空気温度成層の形成は、例えば倉庫、屋内競技場、オフィス、講堂、ハンガールーム、商用ビルディングなどに見られ、また、住宅であっても、カテドラルシーリングが用いられている住宅などに見られる、天井の高い大空間においては、大きな問題となるものであり、暖房コスト及び空調コストを、大幅に低減することのできる可能性を有するものである。更に、天井の高低にかかわらず、いかなる部屋であっても、空気の澱み、即ちデッドエアが生じるおそれは常に存在している。また、標準的な天井高であって、その天井にダクト吹出口が設けられている場合には、暖房を開始すると同時に、天井温度が急激に上昇し始める。
【０００４】
空気温度成層の形成に対処するための解決法として、シーリングファン（天井扇）を用いるという方法が提案されている。シーリングファンは、天井に近接して取付けられる、複数の羽根を備えた比較的大型の回転扇である。シーリングファンの羽根の形状には、平板形のものもあり、翼形のものもある。シーリングファンの羽根は、揚力成分と抗力成分とを有し、揚力成分は、羽根の回転方向に応じて空気を上方または下方へ押動するものであり、抗力成分は、空気を回転の接線方向へ押動するものである。抗力成分によって生じる空気流の方向は接線方向ないし遠心方向であり、従って、抗力成分によって押動されることによって流れの拡散が発生する。従来のシーリングファンは一般的に、天井の高い部屋で使用する場合には、空気成層を破壊するための装置としての効果が小さく、これは、従来のシーリングファンに押動されて発生する空気流は、その流れパターンを、天井から床に到達するまで柱状パターンのままに維持することができず、殆どの場合、床よりはるか上方で流れが拡散し、消散してしまうからである。
【０００５】
空気温度成層の形成に対処するための別の解決法として、略々天井から床まで延在する鉛直管にファンを取付けた装置を用いるという方法も提案されている。ファンの取付位置は、天井の近くとしてもよく、床の近くとしてもよく、その中間としてもよい。この種の装置を用いて、床から天井へ冷気を押し上げることもでき、天井から床へ暖気を引き降ろすこともできる。ただし、この種の装置を建物内のオープンスペースに設置する場合に、そのオープンスペースの壁面から離して設置したならば、フロアスペースの利用上の障害となる上に、美観上も好ましくない。一方、この種の装置の設置位置をオープンスペースの壁面に沿った位置に限定したならば、そのオープンスペースの中央付近の空気を効果的に循環させることができなくなる。このような、鉛直管にファンを取付けて構成した装置の具体例としては、例えば、米国特許第3,827,342号（発明者：Hughes）に開示されている装置や、米国特許第3,973.479号（発明者：Whiteley）に開示されている装置などがある。
【０００６】
鉛直管を用いることなしに天井から床まで到達させることのできる、流れの拡散が皆無または非常に少ない柱状空気流を発生させる装置を用いることによって、空気成層を効果的に破壊することができる。米国特許第4,473,000号（発明者：Perkins）及び米国特許第4,662,912号（発明者：Perkins）に開示されている装置は、ハウジングと、複数の羽根を有する回転インペラと、複数の固定ベーンとを備えている。回転インペラは、ハウジングの最上部に収容されている。また、複数の固定ベーンは、小型のベーンと大型のベーンとが組合わされたものであり、互いに周方向に間隔をあけて放射状に配設されており、各々が鉛直方向に延在し、ハウジングの内部のインペラの下方に配置されている。これらのPerkins特許に開示されている装置は、空気を案内してより明確に規定された流れパターンとすることによって、流れの拡散を低減することを意図したものである。しかしながらPerkins特許には、インペラの羽根と固定ベーンの間の間隙の寸法を比較的小さな特定の寸法に設定することの重要性は開示されておらず、Perkins特許に記載されている装置では、その間隙の寸法が大きいために、また、羽根とベーンとの間においてハウジングの内壁面で遠心空気流が跳ね返るために、渦流及び擾乱を発生するものとなっている。Perkins特許には更に、ベーン収容セクションにテーパを付けることが開示されている。ベーン収容セクションにテーパを付けることによって、吹出される空気流の速度を増大させることができる。
【０００７】
空気流の回転方向流れ成分を低減し、軸方向の空気流量及び流速を可及的に増大させるようにした回転ファンを備えた装置を用いることによって、空気を流通させるための物理的な管体を必要とすることなく、横方向の流れの拡散を可及的に低減した柱状パターンのままで、天井から床まで流動する柱状空気流を発生させることができる。また、そのような装置は、空気流の回転方向流れ成分を可及的に低減することにより、従って、擾乱を可及的に低減することにより、エネルギ損失を低減することができる。また、そのような装置は、背圧を可及的に低減することができ、なぜならば、装置の吹出口における圧力降下こそが、膨張と、速度損失と、横方向の拡散との発生原因だからである。また、そのような装置は、騒音が非常に小さく、消費電力の小さな装置とすることができる。
【特許文献１】米国特許第4,473,000号公報
【特許文献２】米国特許第4,662,912号公報
【発明の開示】
【課題を解決するための手段】
【０００８】
空気流発生装置はハウジングを備えており、このハウジングは、空気吸込口と、この空気吸入口から離れた空気吹出口とを有する。ハウジングの内部の空気吸込口の箇所に、複数の羽根を有する回転インペラが取付けられており、この回転インペラは、回転方向流れ成分と軸方向流れ成分とを有する空気流を発生させる。ハウジングの内部のインペラの下流側に、複数の空気案内用のベーンが設けられており、それら複数のベーンは、互いに間隔をあけて放射状に配置されており、軸方向に延在している。また、それら複数のベーンは、インペラの羽根に近接して配置されており、これによって、ハウジングの内部において回転方向流れ成分を可及的に低減し、且つ、空気流を層流の軸流に変換するものとなっている。こうして変換された空気流は、横方向の流れの拡散が非常に小さい柱状パターンとなって空気吹出口から吹出される。また、空気流発生方法は、ハウジングの内部を通過して流れる空気流を発生させ、そして、このハウジングの内部を通過して流れる空気流を案内して、層流の軸流として空気吹出口から吹出させることにより、横方向の流れの拡散が非常に小さい柱状パターンを発生させる。この空気流発生方法においては更に、天井近傍の暖気を床へ向けて吹出させ、それにによって、その暖気の熱が、床と、床上に置かれた物品と、床下の地面とに蓄積されるようにする。この空気流発生方法においては更に、空気を略々水平方向に吹出させて、コンテナ、トレーラトラック、または部屋の中の空間を貫通させ、それによって、その空間の空気の流通及び空気の循環を促進する。以上の装置及び方法は、空気温度成層の破壊を効率よく小さな消費電力で行う上で、また、空気の質を改善して循環を高める上で、特に適したものである。
【発明を実施するための最良の形態】
【０００９】
これより添付図面を参照しつつ、本発明について更に詳細に説明して行く。図１〜図９に示したのは、空気流発生装置１２である。この空気流発生装置１２は、細長い形状の外部ハウジング１３と、このハウジングの内部に設けられ、このハウジングの内部において空気流を発生させる電動回転ファン１４と、放射状に配置され、この装置の長手方向に延在している複数の外側ベーン１５と、このハウジングの内部のファン１４より下流側に、複数のベーン１５と対向するように配置された、このハウジングの内部を流れる空気流を案内する内部ハウジングハブ１６とを備えている。
【００１０】
ハウジング１３は、その横断面形状が円形であり、開口している第１端部１７を有し、また、この第１端部１７から離れた、開口している第２端部１８を有している。図示例では、着脱可能なカウリング１９によって第１端部１７が画成されている。カウリング１９は、軸方向外方へ膨出した形状を呈しており、このカウリング１９の外径より僅かに小さい直径の空気吸込口２１を画成している。
【００１１】
ハウジング１３は第１セクション２５を有し、この第１セクション２５は、カウリング１９から内部の段部２６まで延在している。空気流発生装置１２を支持部に取付けるための略々Ｃ字形のハンガー部材２３の両端の端部２４が、ハウジング１３の第１セクション２５の上端部の両側に連結されている。第１セクション２５は、側方から見た形状が、曲線的で僅かに径方向外方へ膨出した形状とされており、この曲線形状は、カウリング１９の曲線形状に合わせたものである。段部２６は、径方向内方へ延出して、第２セクション２７の上流側端部に接続している。第２セクション２７は、段部２６から第２端部１８まで、径方向内方へ縮径しつつ軸方向に延展しており、また、段部２６の近傍では径方向外方が凸形状で第２端部１８の近傍では径方向外方が凹形状となる滑らかな曲線に沿って延展している。第２端部１８は、空気吸込口２１より小さな直径の空気吹出口２８を画成している。互いに周方向に間隔をあけて配設されている複数のフィン２９が段部２６から第２セクション２７へ延在しており、ハウジング１３を側方から見たときに、それらフィン２９の外観が、空気吸込口２１から空気吹出口２８へ向かって滑らかな曲線を呈するようにしてある。
【００１２】
ファン１４はインペラ３１を備えている。インペラ３１は、電動モータ３４を収容している内側のインペラハブ３２と、互いに周方向に間隔をあけて配置されており、インペラハブ３２から径方向へ延出している複数の羽根３３とを有する。図示例のインペラ３１は等間隔に配設された３枚の羽根３３を有しており、上方から見て軸心回りに反時計方向に回転するものである。このインペラ３１を側方から見たとき、各々の羽根３３は、上流側端縁３５から下方の左方へ延伸して下流側端縁３６に至るように傾斜していると共に、下面側が凹面となるように僅かに彎曲した翼形の形状を呈しており、これらによって、それら羽根３３は、図中に矢印で示したように、空気を右方へ押動するものとなっている。また、各々の羽根３３は、インペラの回転軸心に対して所定の角度で傾斜している。図示したように、各々の羽根３３は、吹出口即ち第２端部１８へ向かって軸方向及び径方向に延伸しており、これによって、それら羽根３３は、空気を軸方向に案内するものとなっているが、ただし、案内される空気の流れは、回転方向の流れ成分も含んでいる。尚、モータ３４の回転方向が図示例とは逆方向である場合には、羽根３３の傾斜方向も図示例とは逆になる。ファン１４は、静止部材である円筒形の取付リング３８を備えている。この取付リング３８は、複数の羽根３３を周囲を囲むようにして延展しており、インペラハブ３２は、この取付リング３８に対して相対回転可能な状態で、この取付けリング３８に取付けられている。取付リング３８は、互いに離隔した上流側リム４０と下流側リム４１とを有する。ファン１４は、ハウジング１３の内部に、カウリング１９と段部２６との間に取付けられている。
【００１３】
複数のベーン１５は互いに同一形状であり、各ベーン１５は上流側部材４３と下流側部材４４とで構成されている。上流側部材４３はステータ４６に設けられている。ステータ４６は円筒形のステータハブ４７を有しており、このステータハブ４７の直径はインペラハブ３２の直径と略々等しい。複数のベーン１５の上流側部材４３は、ステータハブ４７の周方向に間隔をあけて配置されてステータハブ４７に取付けられており、また、ステータハブ４７の軸心方向に延展すると共に、ステータハブ４７から径方向に延出している。上流側部材４３は、上流側端縁４８と下流側端縁４９とを有する。支持体５０は、円筒形のステータリング５２を備えている。ステータリング５２は、複数の上流側部材４３の周囲を囲むように延在しており、それら上流側部材４３の上流側端縁３８の近傍においてそれら上流側部材４３の外端縁に連結している。支持体５０は更に、突出したステータリム５３を備えている。ステータリム５３は、ベーン１５の上流側部材４３の上流側端縁４８と略々同一平面上に位置しており、また、ステータリング５２に連結しており、このステータリング５２から径方向外方へ延出している。
【００１４】
ハウジング１３は内周面を有する。内部ハウジングハブ１６の外周面はこのハウジング１３の内周面に対して同心的に、且つ、このハウジング１３の内面との間に間隔をあけて延展しており、これによって、このハウジング１３の内部を貫通して流れる空気流のための空気流路が画成されている。内部ハウジングハブ１６は、ファン１４のハブ３２と、ステータ４６のハブ４７と、下流側ハブ部材５７とで構成されている。これら３つの構成部材は、その各々が外周面を有し、ハウジングの中心線上に互いに端部と端部とが突き合わされるようにして配置されており、また、それら構成部材の外周面が、ハウジングの内周面と対向して、ハウジングの内周面との間に間隔をあけて延展しており、これによって前述した空気流路が画成されている。特に、図示例では、それら構成部材の外周面は、空気流路の全長の大部分に亘って略々同一直径の円筒面とされており、ハウジング１３が次第に縮径（即ち収束）している部分では、下流側ハブ部材５７がハウジングの内周面の曲率に略々従って次第に縮径（即ち収束）している。
【００１５】
ステータ４６は、そのステータリム５３が、ハウジング１３の段部２６と、ファン１４の取付リング３８の下流側リム４１との間に挟持されることによって、ハウジング１３の内部に、ハウジング１３に対して着脱可能に嵌装されており、インペラ３１の羽根３３の下流側端縁３６と、ベーン１５の上流側部材４３の上流側端縁４９との間には、間隙５５が確保されている。この間隙５５の寸法が過大であると、インペラ３１とベーン１５との間の領域で空気流に擾乱が発生するために空気流の流速が低下する。一方、この間隙５５の寸法が過小であると、流体剪断応力のために騒音が発生する。間隙５５の寸法は、一般的に、空気流に擾乱を発生させることのない所定の最大寸法以下で、騒音を発生させることのない所定の最小寸法以上の大きさに選定され、また、より好ましいのは、騒音を発生させることのない範囲内で可及的に小さな寸法に選定することである。
【００１６】
間隙５５の寸法は、一般的に、インペラ３１の直径に応じて選定され、更に、インペラ３１の回転速度を併せて考慮して選定されることもある。以下に、その幾つかの具体例を示す。インペラ３１の直径が6.00インチ（約152 mm）、その回転速度が1800 rpmである場合には、間隙５５の最大寸法を1.25インチ（約32 mm）、最小寸法を0.2インチ（約5 mm）とするとよい。また、インペラ３１の直径が8.5インチ（約216 mm）、その回転速度が1400 rpmである場合にも、間隙の最大寸法を1.25インチ（約32 mm）、最小寸法を0.2インチ（約5 mm）とするのがよいが、ただし、回転速度を併せて考慮するならば、更に回転速度が低い場合には、最小寸法を0.2インチ（約0.5 mm）にすることもある。一般的に、間隙５５の最大寸法は、インペラ３１の直径の２分の１未満とするのがよい。
【００１７】
図示例では、ベーン１５の上流側部材４３の枚数は８枚であり、それら８枚の上流側部材４３が等間隔で配置されている。また、側方から見たときに、ベーン１５の上流側部材４３は、下流側端縁４９から直線的に上方へ延在した後に、上流側端縁４８の近傍で左方へ彎曲している。上流側部材４３のこの彎曲ベーン部分は、羽根３３の傾斜と逆方向に所定の角度で傾斜して第２端部２８へ向かって軸方向及び径方向内方に延展しており、それによって、空気流の回転流成分をハウジング内において層流の軸流空気流に変換するものである。ただし、ベーン１５の上流側部材は、図７に示したような、直線的な形状の上流側部材４３Ａとすることも可能であり、また、ベーン１５の枚数は、その他の枚数とすることも可能である。更に、モータ３４の回転方向が図示例とは逆方向である場合には、上流側端縁４８の近傍の彎曲部の傾斜方向も図示例と逆方向になる。
【００１８】
ベーン１５の下流側部材４４は、その径方向内側の端縁が、内側ハウジングハブ１６を構成している３つの構成部材のうちの、下流側ハウジングハブ部材５７に取付けられている。複数の下流側部材４４は、ハウジングハブ部材５７の周方向に間隔をあけて配置されており、このハウジングハブ部材５７から径方向外方へ延出してハウジング１３まで延在している。ハウジングハブ部材５７及びベーン１５の下流側部材４４は、ステータ４６から軸方向へ延出して、空気吹出口２８まで、或いは、空気吹出口２８の近傍まで延在するようにしておく。ハウジングハブ部材５７は、その断面形状が円形であり、また、ステータハブ４７に突き合わされているその上流側端部における直径が、ステータハブ４７の直径と略々等しく、また、下流側へ行くにつれて縮径して、空気吹出口２８の近傍に尖端部５８を有する。従ってこのハウジングハブ部材５７は、魚雷形の形状を呈している。図示例では、ベーン１５の下流側部材４４の枚数は４枚であり、それら４枚の下流側部材４４は、９０°間隔で周方向に間隔をあけて配置されており、また、それら４枚の下流側部材４４の各々は、ベーン１５の８枚の上流側部材４３のうちの夫々１枚ずつに位置が揃えられている。尚、ベーン１５の下流側部材４４の枚数は、４枚以外の枚数とすることも可能である。
【００１９】
羽根３３の枚数は、２、３、４、５、６、７、または８枚とするとよい。ベーン１５の枚数は、２、３、４、５、６、７、または８枚とするとよい。ベーン１５の枚数は、羽根３３の枚数と異ならせるのがよい。ベーン１５の枚数と羽根３３の枚数とを同数にしたならば、高調波のために更に余分な騒音が発生して、全体としての騒音が増大する。
【００２０】
空気流発生装置１２は、高速の略々軸流の空気流を吹出す装置であり、吹出される空気流は横方向の流れの拡散が非常に小さい柱状パターンの空気流であって、この柱状パターンは空気流が空気吹出口２８を通過した後もそのまま維持される。カウリング１９は、内部へ向かう曲面に沿って延展しており、これによって空気吸込口２１へ流入する空気流の擾乱及び騒音を低減している。インペラハブ３２、ステータハブ４７、及びハウジングハブ５７によって、内側ハウジングハブ１６が構成されている。ハウジングハブ５７のテーパは、ハウジング１３のテーパに略々沿ったものであり、空気流発生装置１２を通過する間に空気流の流路断面積が減少するようにしてある。この流路断面積の減少量は約１０％〜約３５％とするのがよく、これによって、背圧の発生を防止すると共に、空気流の流速を増大させるようにしている。図示例では、空気流の流路断面積の減少量を、約２２％としてある。
【００２１】
ベーン１５は、インペラ３１から流入してくる空気流の回転成分を、ハウジング内において層流で軸流の空気流に変換する。図示例では、ベーン１５の上流側部材４３の上流側端縁４８を左方へ彎曲させてあり、これによって、インペラ３１から流入してくる空気流の回転成分を、ハウジング内で層流で軸流の空気流に変換する際のエネルギ損失を低減している。インペラ３１とベーン１５との間の間隙５５の寸法を小さくしてあるため、この間隙５５において空気流の擾乱が発生することが防止されている。ハウジング１３のテーパと、尖端部５８へ至るハウジングハブ５７のテーパとが協働して、空気吹出口２８から吹出される空気流が、途切れることなく連続した柱状パターンの流れパターンを有しており、流れの拡散が非常に少なく、ファンのみによって流れを発生させた場合の線速度よりも高速の線速度を有し、センタホールないしセンタギャップが存在しない流れとなっている。ハウジング１３の内面は、実質的に、連続した滑らかな面となっており、これによって擾乱及びエネルギ損失を可及的に低減している。
【００２２】
ハウジング１３に取付けられているハンガー部材２３は、ハウジング１３に対して相対回転させることも、ロックすることも可能であり、これによって、このハンガー部材２３を例えば天井などの高所の支持部に取付けたときに、空気流発生装置１２から吹出される空気流を図８に示したように、鉛直に向けることも、任意の設定角度に向けることもできるようにしている。図１及び図９に示したように、ハウジング１３の第１セクション２５には、その上側端縁の両側に一対の取付タブ９１が設けられている。各々の取付タブ９１は、丸みを帯びた外向きの取付面９２と、ハウジング孔部９３とを有しており、ハウジング孔部９３は、取付タブ９１の中心に形成されて内方へ延在している。外方へ突出したハウジング凸条９４のペアが、ハウジング孔部９３の両側に形成されて、取付面９２上を径方向に延在している。
【００２３】
ハンガー部材２３の両端のハンガー端部２４の各々に、丸みを帯びた内向きのハンガー端面９４が形成されており、このハンガー端面９４の大きさは、ハウジング１３の取付面９２と略々同じ大きさである。各々のハンガー端面９６には、ハウジングに形成されている凸条９４が嵌合する大きさの複数の径方向溝が形成されており、それら径方向溝は互いに間隔をあけて設けられている。ボルト１００が、ハンガー端部の孔９７に挿通されて、雌ネジが形成された円筒形のインサート部材１０１に螺合しており、このインサート部材１０１はハウジングに形成された孔９３に固定されている。ハンガー端部２４の複数ペアの径方向溝のうちのどの径方向溝のペアに、ハウジング側の凸条９４のペアを嵌合させるかを選択することによって、ハウジング１３の角度を選択することができる。以上に説明した枢動機構によれば、選択した角度へハウジングを向けることができ、そして、その選択した角度にロックすることによって、その選択した角度に空気流の吹出し方向を定めることができる。
【００２４】
図１０に示したのは、部屋６３の天井６２に取付けられた空気流発生装置１２である。この部屋６３は周囲の側壁が完全に閉じており、図には一対の対向する側壁面を示した。天井６２付近の暖気が、空気流発生装置１２に吸込まれる。吸込まれた暖気は、空気流発生装置１２から柱状流６４の形で吹出され、床６５にまで到達する。柱状流６４が床６５に到達することによって、その天井からの暖気によって、床６５の冷気が外側へ、即ち対向する側壁面６６へ押動され、そこから更に、上方へ押動されて天井６２へ移動する。更に、柱状流６４が床６５に到達することによって、その天井からの暖気が床６５へ熱を伝達するため、床６５に熱が蓄積される。蓄積された熱は、天井温度が床温度より低くなったときに放出される。更に、床上に置かれている物品や、床下の地面にも、熱は蓄積される。空気流発生装置１２は、部屋６３の内部の空気成層を破壊するため、従来の多くの装置のように無孔の管体を実際に装備する必要がない。空気流発生装置１２は、部屋６３の内部の空気成層を破壊するに際して、天井６２からの暖気が床６５に到達するまでの流れの拡散が非常に小さく、この点において、従来の多くの装置と異なっている。更に、空気流発生装置１２は、部屋の中からデッドエアを一掃する。更に、空気流発生装置１２は、例えばコンテナ、トレーラトラック、或いは部屋などの内部に、水平に向けて取付けるようにしてもよく、これについては後に詳述する。
【００２５】
図１１に示したのは、吸込口グリル６８と、電気コネクタ機構６９とを装備した空気流発生装置１２である。この電気コネクタ６９機構は、上端に電球用ソケット７１を備えた照明灯収容容器７０に接続できるようにするものである。吸込口グリル６８は、周方向に間隔をあけて配置された複数のグリル用フィン７２を含んでおり、それら複数のグリル用フィン７２は、ハウジング１３の第１端部１７に取付けられている。隣り合うグリル用フィン７２とグリル用フィン７２との間に、空気吸込スロット７３が画成されている。複数のグリル用フィン７２は、ハウジングの第１端部１７から軸方向外方へ延出した後に、径方向内方へ彎曲し、そして、ハウジングの第１端部１７と略々平行に延展している円板形の取付板７４に一体に連結している。電気コネクタ機構６９は、管体７６と、右ねじの雄ねじ型の電球用ねじ込み式口金７７とを備えている。管体７６は、その一端が取付板７４の中心に一体に連結しており、そこから軸方向に延出している。また、電球用ねじ込み式口金７７はシャフト７８の他端に取付けられている。図示例では、吸込口グリル６８と、取付板７４と、管体７６とは、一体部品として形成されている。取付板７４には、ねじ８３などの止着具を挿通するための複数の孔が形成されており、それら孔に挿通した止着具によって、取付板７４を天井６２に取付けることができるようにしてある。
【００２６】
シャフト７８は管体７６の中に摺動可能に嵌合している。管体７６には、互いに対向する位置に一対のキー溝７６Ａが形成されており、それらキー溝７６Ａに、シャフト７８に設けられた一対のキー７８Ａが嵌合することにより、シャフト７８が管体７６の中で軸方向に摺動可能となっている。管体７６の中に圧縮スプリング７５が装着されており、この圧縮スプリング７５はシャフト７８の下端と取付板７４の上面とに押圧力を作用させている。シャフト７８の長さと照明灯収容容器７の長さとの関係は、天井６２に取付けられている照明灯収容容器７０の中に空気流発生装置１２を装着する際に、取付板７４が天井６２に当接する前に、電球用ねじ込み式口金７７が電球用ソケット７１に係合し、そして、電球用ねじ込み式口金７７を電球用ソケット７１に螺合することによって、取付板７４が天井６２に押し付けられるようにしておくことが好ましい。これにより、圧縮スプリング７５６は取付板７４とシャフト７８との間で圧縮される。更に、ネジ８３によって取付板７４を天井６２に固定する。照明灯収容容器７０は、天井６２の上方にある部分が開口していることもあるため、取付板７４は、照明灯収容容器７０の下端の開放部を閉塞することのできる大きさにしておくことが好ましく、そうしておけば、天井６２の下方の空気だけが空気流発生装置１２に吸込まれるようにすることができる。吸込口グリル６８及び電気コネクタ機構６９を装備したこの空気流発生装置１２は、シーリングライト用ソケットに装着して使用することも可能である。
【００２７】
図１２に示したように、空気流発生装置１２には、インペラ３１に異物が吸入されるのを防止するための吸込口グリル７９を装備することができる。図示した吸込口グリル７９は略々半球形の形状であり、周方向に間隔をあけて配置された複数のグリル用フィン８０を含んでおり、隣り合うグリル用フィン８０とグリル用フィン８０との間に、吸込スロット８１が画成されている。複数のグリル用フィン８０は、ハウジング１３の第１端部から軸方向外方へ延出し、径方向内方へ彎曲して、第１端部から離隔した中心点８２へ至っている。本発明に好適に採用し得る吸込口グリルの形態はこれに限られず、その他様々な形態とすることも可能である。
【００２８】
図１３に示したのは、噴霧ノズル８４を装備した空気流発生装置１２である。分ぷのずる８４は、ハウジングハブ５７の尖端部５８を貫通して延在しており、空気吹出口２８から吹出される空気の柱状流の中に水を噴霧して、その蒸発さｙ凹によって空気を冷却するものである。管路８５を介して供給し、噴霧ノズル８４から噴射させる物質は、冷却以外の目的を有する物質とすることもでき、例えば、殺菌剤、芳香剤、それに、必要に応じて処方されるブロッカー剤などを噴霧するようにしてもよい。噴霧ノズル８４は、ハウジングハブ５９の中の給水管路８５に接続されており、この給水管路８５は給水源（不図示）に接続されている。
【００２９】
図１４に示したのは、天井高が非常に高い建物に用いるのに適した空気流発生システム８６である。この空気流発生システム８６は、空気流発生装置１２と、管体８７（部分破断図で示した）と、装置の一部を切り詰めて短縮した上側空気流発生装置８８とを備えている。管体８７は、その下端が空気流発生装置１２の空気吸込口２１に接続されて上方へ延伸しており、上側空気流発生装置８８は、その空気吹出口８９が管体８７の上端に接続されている。上側空気流発生装置８８はそのハウジングの一部を切り詰めて短縮したものであって、フィン２９より下方の部分を切除してある。通常の空気流発生装置１２の一部を切り詰めて短縮したものを、上側空気流発生装置８８として使用することができる。管体８７は、可撓性を有する管体とするのもよく、また、耐火性を有する管体とすることが好ましい。この空気流発生システム８６は、天井などの支持部に取付けるようにし、空気流発生装置１２の空気吹出口２８の位置は床の上方の高い位置とし、その床からの高さは約10〜50フィート（約3〜15 m）とすることが好ましい。管体８７の長さは、例えば30〜100フィート（約9〜30 m）とする。この空気流発生システム８８の最上部に配置されている上側空気流発生装置８８は、このカスケード型の空気流発生システム８８の最下部に配置されている空気流発生装置１２よりも、空気流の流量容量を大きくしてある。その具体例と挙げるならば、例えば、上側空気流発生装置８８の流量容量を800 cfm（約22 m3/ min）とし、空気流発生装置１２の流量容量を550 cfm（約15 m3 / min）とするとよく、ただしこれに限定されるものではない。
【００３０】
図１５、図１５Ａ、図１５Ｂ、図１５Ｃ、図１５Ｄ、及び図１６に示したのは、空気流発生装置１２を天井１０４の開口部１０３に装着したものである。天井１０４に略々円筒形の収容容器１０５が取付けられている。この収容容器１０５は、天井１０４の上方へ延出しており、収容容器底部１０６は開口しており、収容容器頂部１０７は閉塞している。収容容器頂部１０７には、周方向に延在する凹溝部１０８が形成されており、この凹溝部１０８は、その断面形状が半円形であり下方に開口している。半円形のフィン１１１が、この凹溝部１０８を横切るように径方向に延在しており、このフィン１１１は、空気吸込口２１へ流入しようとする空気が渦運動をするのを防止するためのものである。このフィンを複数設けるようにしてもよい。グリル／支持体アセンブリ１２５が天井に取付けられている。グリル／支持体アセンブリ１２５は、天井と空気流発生装置１２のハウジングの外面との間に亘って延展しており、空気流発生装置１２のハウジングの外面に連結している。グリルは複数のフィン１０９を備えており、隣り合うフィン１０９とフィン１０９との間に開口１１０が画成されており、それによって複数の開口１１０が画成されている。室内の空気はそれら開口１１０を通過してハウジングの表面に沿って上方へ流動し、更にカウリング１９の表面を通過して吸込口２１へ流入する。グリル／支持体アセンブリ１２５は、外側リング部１２０と、内側リング部１２１と、凸面状に彎曲した複数のグリルフィン１０９とを含んでおり、外側リング部１２０は天井の下面に固定され、外側リング部１２０と内側リング部１２１との間に前述した複数の開口１１０が画成されている。内側リング部１２１には、その内周面に凹球面形状の当接面１２２が形成されている。一方、ハウジングにはリング部材１２３が固定装着されている。このリング部材１２３は、その外周面に凸球面形状の当接面１２４が形成されている。当接面１２２と当接面１２４とは相対的に摩擦摺動が可能なように互いに嵌合しており、それによって、ハウジングを鉛直姿勢でも、また、鉛直線に対して傾斜した姿勢でも支持することができ、且つ、摩擦によって、その鉛直姿勢ないし鉛直線に対して任意の選択角度で傾斜した姿勢に保持することができることで、空気流の方向を所要の方向に定められるようにしている。
【００３１】
収容容器１０５は、外方へ延出した底部フランジ１４０を有しており、この底部フランジ１４０は、天井１０４の下面に当接させるようにする。収容容器１０５は、その周壁の底部フランジ１４０から僅かに上方に位置する箇所に、複数の小開口１４１が形成されており、それら小開口１４１は、周方向に９０°間隔で形成した４個の矩形の小開口とすることが好ましい。クランプ部材１４２は、プラスチック成形品として製作することが好ましく、本体部１４３とエンドフランジ部１４４とを有する部品である。本体部１４３は、収容容器１０５の容器周壁から外側へ突出して、天井１０４の上面側を延在するようにしてあり、エンドフランジ部１４４は、収容容器１０５の内側にあって小開口１４２に係合するようにしてある。本体部１４３はＵ字形の周壁部１４５と、内側のハブ部１４６とを有しており、ハブ部１４６には孔１４７が形成されている。クランプ部材１４２は、収容容器の開放端から手を入れて、小開口１４１に挿入するようにする。止めねじ１５１を、収容容器の底部フランジ１４０に形成されている孔と、天井に形成しておいた孔と、クランプ部材の本体部の孔１４７とに挿通して、螺着することにより、収容容器１０５を天井１０４に固定する。
【００３２】
図１５Ｄに示したものでは、グリル／支持体アセンブリ１２５を天井１０４及び収容容器１０５に取付けるために使用している止めねじ１４９が、リング部１２０に形成された孔を貫通し、更に天井１０４を貫通して延在して、収容容器１０５のフランジ１４０設けられたナット１５０に螺合している。止めねじ１４９は、９０°間隔で４本使用して、上で説明した止めねじ１５１と止めねじ１５１との丁度中間に位置するようにするとよい。天井１０４は、多くの場合、石膏ボードで形成されており、その石膏ボードに穴が形成されている。図１５の変更例として、外側リング１２０を更に拡張して、これを2×2フィート（約600×600 mm）の正方形の平板パネルとするようにしてもよく、このような平板パネルは、一般的な天井用パネルを保持するために用いられている保持グリッド構造に装着して保持することができる。
【００３３】
図１７に示したのは、吸込口グリル１１３と、電球用ソケットに螺合する電球用ねじ込み式口金１１４と、電球用ソケット１１５とを装備した空気流発生装置である。吸込口グリル１１３は、周方向に間隔をあけて配置された複数のグリル用フィン１１６を含んでおり、それら複数のグリル用フィン１１６は、ハウジング１１３の第１端部に取付けられている。隣り合うグリル用フィン１１６とグリル用フィン１１６との間に空気吸込スロット１１７が画成されている。複数のグリル用フィン１１６は、ハウジングの第１端部１７から軸方向外方へ延出した後に径方向内方へ彎曲し、そして、ハウジングの第１端部１７と略々平行に延展している円板形の取付板１１８に一体に連結している。電球用ねじ込み式口金１１４は取付板１１８に取付けられており、この取付板１１８から上方へ延出している。電球用ソケット１１５は、その開口部を下方へ向けて、ハウジング１３の内部に取付けられており、これによって、この電球用ソケット１１５に螺合させて装着した電球１１９から発せられる光が下方へ照射されるようになっている。
【００３４】
図１８に示したのは、傾斜屋根１３２を持つテントであり、屋根１３２は棟部から下ってその下縁が鉛直側壁部１３１に連なっており、鉛直側壁部１３１の下縁は床１３３より上方に位置していて側方開口部１３４が画成されており、従って、このテントによって、側壁に開放した部分を有する部屋が形成されている。空気流発生装置１２は棟部の直下に取付けられており、部屋内の空気を柱状パターンの空気流として床へ向けて吹出し、床に達した空気流は床に沿って流れて元に戻るが、ただし、床１３３の周囲の側壁開口部分１３４において、幾分かの空気が出入りする。幅の広いテントの場合には、空気流は側壁に達する前に上昇する。
【００３５】
以上に説明した空気流発生装置及び空気流発生システムは、必要電力が比較的小さなもので済む。典型的な一例を挙げるならば、天井高が30フィート（約9 m）の部屋では、直径が8.5インチ（約216 mm）のインペラを使用することで、天井から床まで達する空気流を効果的に発生させることができ、その際のモータは、定格電力が35ワットのものを使用し、回転数は1600 rpmとすればよい。また、もう１つの具体例を挙げるならば、天井高が70フィート（約21 m）の部屋では、直径が8.5インチ（約216 mm）のインペラを回転数2300 rmpで使用すればよく、その際のモータは、定格電力が75ワットのものを使用すればよい。
【００３６】
図１９に示したのは、左端下部に水平に向けて空気流発生装置１２を装備した運送用コンテナ１６１である。空気流発生装置１２は、空気流を底壁即ち床に沿って水平方向に吹出し、吹出された空気流は反対側の側壁に沿って上昇し、更に頂壁の一端から他端へ流れて空気流発生装置１２の上方に装備されている廃棄ダクト１６２から排出される。空気流発生装置１２は、運送用コンテナ内の空間を貫通する空気流を発生させることで、空気の流通及び循環を促進している。空気流発生装置１２は、空気流を略々水平方向に吹出すように取付けるばかりでなく、水平より上方または下方へ角度を付けて吹出すように取付けるようにしてもよい。以上の構成は、運送用コンテナ内の空間以外の空間に適用することもでき、例えば、トレーラトラック内の空間や、部屋の内部の空間などにも適用可能である。
【００３７】
ステータ４６とハウジング１３とは、それらを一体化した単一のユニットとすることも可能である。また、ハウジング１３を２つのセクションから構成したものとすることも可能であり、例えば、図１４に示したような長さを切り詰めた空気流発生装置の末端部に、所定の長さのチューブ型のセクションを付加するような構成とするのもよい。
【００３８】
以上に本発明をかなり具体的に説明したが、以上の開示は具体例を提示することを目的としたものであり、以上に説明した具体例に対しては、本発明の概念から逸脱することなくその細部構造に様々な変更を加えることが可能である。
【図面の簡単な説明】
【００３９】
【図１】本発明の特徴を具体化した空気流発生装置を上方から見た斜視図である。
【図２】図１の装置の側面図である。
【図３】図１の装置の底面図である。
【図４】図１の装置の分解斜視図である。
【図５】図２の５−５線に沿った断面図である。
【図６】図２の６−６線に沿った断面図である。
【図７】図２の５−５戦に沿った断面図であり、ベーンの上流側部材を直線的な形状の部材としたものを示した図である。
【図８】図１の装置の側面図であり、装置を斜めに向けたところを示した図である。
【図９】図１の装置のハンガー部材の連結構造を示した拡大部分分解図である。
【図１０】図１の装置を装備した部屋の側面図であり、破線及び矢印によって空気流の流れパターンを示した図である。
【図１１】照明灯収容容器に取付けるように改造した図１の装置を示した、一部破断した側面図である。
【図１１Ａ】図１１の１１Ａ−１１Ａ線に沿った断面図である。
【図１２】吸込口グリルを装備した図１の装置の側面図である。
【図１３】噴霧ノズルを装備した図１の装置の、図２の６−６線に沿った断面図である。
【図１４】図１の装置に管体と第２の空気流発生装置とを組合せたものの側面図である。
【図１５】はめ込み天井に取付けた図１の装置を示した、下方から見た一部破断斜視図である。
【図１５Ａ】図１５の上方から見た斜視図である。
【図１５Ｂ】図１５Ａに示した止着具の上方から見た斜視図である。
【図１５Ｃ】図１５Ａの１５Ｃ−１５Ｃ線に沿った断面図である。
【図１５Ｄ】図１５Ａの１５Ｄ−１５Ｄ線に沿った断面図である。
【図１６】図１５の一部を拡大して示した拡大図である。
【図１７】電球用ソケットに取付けるように改造し下端に電球を装備した図１の装置を示した、一部破断側面図である。
【図１８】頂部に空気流発生装置が装備され側壁部に開口部が形成されたテントの模式図である。
【図１９】一端の下部に空気流発生装置を装備した輸送用コンテナの模式図である。
【図１】
2007529681.tif 000003
【図２】
2007529681.tif 000004
【図３】
2007529681.tif 000005
【図４】
2007529681.tif 000006
【図５】
2007529681.tif 000007
【図６】
2007529681.tif 000008
【図７】
2007529681.tif 000009
【図８】
2007529681.tif 000010
【図９】
2007529681.tif 000011
【図１０】
2007529681.tif 000012
【図１１】
2007529681.tif 000013
【図１１Ａ】
2007529681.tif 000014
【図１２】
2007529681.tif 000015
【図１３】
2007529681.tif 000016
【図１４】
2007529681.tif 000017
【図１５】
2007529681.tif 000018
【図１５Ａ】
2007529681.tif 000019
【図１５Ｂ】
2007529681.tif 000020
【図１５Ｃ】
2007529681.tif 000021
【図１５Ｄ】
2007529681.tif 000022
【図１６】
2007529681.tif 000023
【図１７】
2007529681.tif 000024
【図１８】
2007529681.tif 000025
【図１９】
2007529681.tif 000026